(57)【特許請求の範囲】
【請求項１】
ヤング率０．１〜１．６の棒状の弾性合成樹脂よりなり、屋根接触面を波形面とした波形屋根用面戸において、
上記屋根接触面に、波形成方向と交差する方向に沿って、間隔を隔てて複数の溝が形成されており、
上記溝は、溝間隔を２０〜３０ｍｍ、溝幅を５〜１０ｍｍ、溝深さを５〜１０ｍｍとされ、溝幅の合計値が波形屋根用面戸の幅寸法の１／５以上、１／３以下となっており、
上記屋根接触面の波形は、施工する屋根において想定できる波長の最も大きな波形に合わせて、波長を同等か、やや大きめの波形となっていることを特徴とする波形屋根用面戸。
【請求項２】
請求項１において、
波形屋根の上面に対して装着される波形屋根用面戸。
【請求項３】
請求項１において、
波形屋根の下面に対して装着される波形屋根用面戸。
【発明の詳細な説明】
【技術分野】
【０００１】
本発明は、表裏面に波形が形成された波形屋根材を複数組み合わせて形成された波形屋根の、大棟部、降り棟部、谷部、軒先部等に装着される波形屋根用面戸の改良に関する。
【背景技術】
【０００２】
波形屋根の大棟部や降り棟部は、その両側に配されている２つの屋根面の境界部であり、その境界部には、各屋根面の端部に配された波形屋根材に一部重なるように棟瓦が載せられており、その棟瓦と波形屋根材との間には弾性材料よりなる波形屋根用面戸が装着されて隙間を塞いでいる。一方、谷部の場合では波形屋根材の裏面側の谷樋との間にできる隙間に、また軒先部の場合には波形屋根材の裏面側の野地板との間にできる隙間に同様の波形屋根用面戸が装着されている。
【０００３】
このような波形屋根用面戸は、例えば特許文献１、２に示すように、棒状に形成され、その屋根接触面が波形屋根材の形状に合わせて波形に形成されており、上記種々の隙間に、弾性収縮した状態で取り付けられる。なお、特許文献１は棟部における面戸の装着例を、特許文献２は軒先部における面戸の装着例を開示している。
【先行技術文献】
【特許文献】
【０００４】
【特許文献１】特開平９−２０９５２９号公報
【特許文献２】特開２００６−９００５９号公報
【発明の概要】
【発明が解決しようとする課題】
【０００５】
ところで、屋根面を構成する波形屋根材は、一定の形状、寸法の湾曲面が形成されており、その波形屋根材が屋根面を構成した場合には、屋根の横断方向（屋根面を左右に走る方向）に一定の湾曲面が連続して、周期的で波長の一定した波形が表れる。したがって、大棟部や軒先部に取り付ける波形屋根用面戸としては、そのような波形屋根に形成される周期的な波形の波長に合ったものが必要とされる。
【０００６】
一方、降り棟部や谷部では、傾斜向きの異なる屋根面同士の境界部に接する各屋根面の端部は、波形屋根材を斜めに切断して形成した切断端部となっており、その切断端部において表れる周期的な波形は、波形屋根材が斜め方向に切断されて形成されるものであるため、波形屋根材の横断方向の波長よりも大きくなる。したがって、大棟部または軒先部に使用する面戸は寸法が合致しないため、同じのものを利用することはできない。
【０００７】
このように従来では、上記のような事情から、同一家屋の屋根であっても、大棟部、軒先部、降り棟部、谷部等、個別の部位に表れる波形に合った波形屋根用面戸を使用することが通例であった。したがって、一戸の家屋を建築するのに複数種の波形屋根用面戸を準備する必要があり、そのため施工準備には時間を要していたし、個別に波形屋根用面戸の在庫切れを防止する必要もあるから、在庫管理には手間がかかっていた。
【０００８】
本発明は、このような事情を考慮して提案されたもので、その目的は、大棟部、降り棟部、谷部、軒先部等において、形状、寸法の異なる周期的な波形に円滑になじませて取り付けることができる波形屋根用面戸を提供することにある。
【０００９】
なお、上記課題を解決する方法として、ヤング率が小さく弾性収縮しやすい弾性材料を使用して、波長の異なる上記各部に共通の同一形状、同一寸法の面戸を構成することが想定でき、さらに、より広範囲の寸法の波形に対応させるために、例えば貫通孔のように、波形屋根用面戸の本体部を部分的に削り取って空洞にして収縮時の逃がし空間を形成することも想定できる。しかし、そのようなものでは、弾性収縮を大きくできたとしても、波形屋根の波形面（上面あるいは下面）へのなじみやすさが改善されることは期待できない。
【課題を解決するための手段】
【００１０】
上記目的を達成するために、請求項１に記載の波形屋根用面戸は、ヤング率０．１〜１．６の棒状の弾性合成樹脂よりなり、屋根接触面を波形面とした波形屋根用面戸において、上記屋根接触面に、波形成方向と交差する方向に沿って、間隔を隔てて複数の溝が形成されており、上記溝は、溝間隔を２０〜３０ｍｍ、溝幅を５〜１０ｍｍ、溝深さを５〜１０ｍｍとされ、溝幅の合計値が、波形屋根用面戸の幅寸法の１／５以上、１／３以下となっており、上記屋根接触面の波形は、施工する屋根において想定できる波長の最も大きな波形に合わせて、波長を同等か、やや大きめの波形となっていることを特徴とすることを特徴とする。
【００１１】
（削除）
【００１２】
請求項２に記載の波形屋根用面戸は、波形屋根の上面に対して装着される。
【００１３】
請求項３に記載の波形屋根用面戸は、波形屋根の下面に対して装着される。
【発明の効果】
【００１４】
請求項１に記載の波形屋根用面戸によれば、波形面に形成された屋根接触面に、波形成方向と交差する方向に沿って、間隔を隔てて複数の溝が形成されているので、その複数の溝が弾性収縮時の材料の逃がし空間となり得て、弾性収縮度合いを大きくすることができる。その結果、同一寸法、同一形状の波形屋根用面戸を、波長の大小異なる屋根の各部に形成される形状、寸法の異なる波形に円滑になじませて取り付けることができる。波形屋根用面戸の波形は、例えば、施工する屋根において想定できる波長の最も大きな波形に合わせておけばよい。また、一戸の家屋を建築するのに複数種の波形屋根用面戸を準備する必要がないため、施工準備には時間がかからないし、在庫管理も手間がかからない。
【００１５】
さらに、屋根接触面に逃がし空間である複数の溝を設けてあるので、屋根の波形とのなじみをよくでき、波長の異なる種々の波形屋根に対して、密着性を高めることができる。
【００１６】
また、０．１〜１．６のヤング率の弾性合成樹脂材料を使用し、かつ、複数の溝が２０〜３０ｍｍ間隔を隔てて形成されているため、面戸全体としての弾性収縮度合いを大きくすることができる。
【００１７】
請求項２に記載の波形屋根用面戸によれば、波形屋根の上面に対して装着される構成となっているので、棟部等に有効に利用できる。
【００１８】
請求項３に記載の波形屋根用面戸によれば、波形屋根の下面に対して装着される構成となっているので、谷部、軒先部等に有効に利用できる。
【図面の簡単な説明】
【００１９】
【図１】本発明の波形屋根用面戸が装着される波形屋根の一例を示した斜視図である。
【図２】（ａ）は本発明の波形屋根用面戸の実施形態を示す正面図、（ｂ）は同底面図である。
【図３】同波形屋根用面戸を大棟部へ装着した状態を示す斜視図である。
【図４】同概略縦断面図である。
【図５】（ａ）は波形屋根材の概略斜視図、（ｂ）は同波形屋根材の部分概略拡大正面図である。
【図６】（ａ）〜（ｃ）は、同波形屋根用面戸を図５に示した屋根のＡ、Ｂ、Ｃで示した部位に装着したときの形状を示す概略正面図と部分拡大図である。
【図７】同波形屋根用面戸を軒先部へ装着した状態を示す概略断面図である。
【図８】同波形屋根用面戸を谷部へ装着した状態を示す概略断面図である。
【発明を実施するための形態】
【００２０】
以下に、本発明の実施の形態について、添付図面を参照しながら説明する。
【００２１】
図１は、本発明の波形屋根用面戸が装着される波形屋根の一例を示した斜視図である。図２は同波形屋根用面戸の形状説明図で、図２（ａ）は正面図、図２（ｂ）は底面図である。
【００２２】
同波形屋根用面戸２０（図２参照。以下、面戸２０という）が装着される波形屋根は、図１に示すように、傾斜向きの種々異なる複数の屋根面１０を組み合わせて構成されている。それぞれの屋根面１０は、陶器瓦あるいは瓦様の波形を行列に連ねてなる樹脂瓦等よりなる波形屋根材１１を縦横に複数配列させて、全体として波形面状に形成されている。
【００２３】
面戸２０は、図１中の大棟部１、降り棟部２、軒先部３、谷部４等にできる種々の隙間を塞ぐために、波形屋根材１１の上面あるいは下面に取り付けられる。波形屋根材１１として、陶器瓦、いぶし瓦等、種々の瓦が適用できるが、後述する図５に図示しているように、一定の形状、寸法の湾曲面を有した単位波形部１１ａを縦横に連ねて一体形成してなる樹脂瓦も適用できる。波形屋根材１１の素材としてはＦＲＰが挙げられる。
【００２４】
面戸２０は、棒状の弾性材料よりなり、屋根面１０上の、横に複数連なる単位波形部１１ａに対応して使用できる連続形状となっており、１つの単位波形部１１ａに対応して、面戸２０の屋根接触面２１には山部２２と谷部２３よりなる１つの波形面が形成されている。なお、この波形面は、装着対象の波形屋根の単位波形部１１ａの形状、寸法にほぼ合致しているが、面戸２０が弾性収縮して装着されるため、完全に一致したものでなくてもよく、波形の波長がやや大きめのものが望ましい。
【００２５】
弾性材料としては、例えばヤング率０．１〜１．６のポリエチレン樹脂を使用できるが、さらに発泡させて弾性収縮しやすくした発泡ポリエチレン樹脂を使用することが望ましい。なお、他の弾性材料としてポリプロピレン樹脂等の熱可塑性樹脂や発泡熱可塑性樹脂、ゴム類が挙げられる。
【００２６】
面戸２０の屋根接触面２１の山部２２には、波形成方向に交差する方向（本例では直交方向）に沿って、複数の溝２４が間隔を隔てて形成されている。この溝２４は、面戸２０の弾性収縮時における弾性材料の逃がし空間として設けられており、図例では左右対称に形成された山部２２に対して等間隔に同一幅、同一深さの溝２４が櫛歯状に形成されている。なお、溝２４は谷部２３にも設けてもよい。
【００２７】
屋根の単位波形部１１ａ（瓦１枚分）の幅寸法を約３０ｃｍとした場合、面戸２０の単位波形面の幅寸法は単位波形部１１ａの幅寸法よりも大きくすることが望ましく、その幅寸法に対応して溝間隔を２０〜３０ｍｍ、溝幅を５〜１０ｍｍ、溝深さを５〜１０ｍｍとする。また、面戸２０の山部頂点における高さ寸法が約４ｃｍのものを好適に使用できる。
【００２８】
特に、本発明の波形屋根用面戸２０は、単位波形の幅寸法（波長）が広範囲に種々異なる屋根の波形のいずれにも装着できるようにすることを目的としているため、面戸２０における溝幅の合計値が、面戸２０の幅寸法の１／５以上となるように溝幅、溝数、溝間隔を決定する。なお、溝幅の合計値の上限値は、面戸２０本来の防水作用を低下させず、かつ施工中または施工後に面戸２０が破損することがないように、面戸２０の幅寸法の１／３とする。
【００２９】
また、面戸２０の屋根接触面２１の湾曲形状が、図２（ａ）の想像線で示したように、屋根の単位波形部１１ａの湾曲形状と完全合致しない場合には、収縮度合いが部位によって異なってくるので、より大きく収縮する箇所については、そうでない箇所よりも、溝を幅広く、深く、あるいは間隔を狭めて形成するようにしてもよい。つまり、複数の溝２４は、均一なものでなくてもよく、等間隔に形成されたものでなくてもよい。なお、面戸２０の収縮状態については、図５および図６にて詳述する。
【００３０】
ついで、面戸２０の大棟部１（図１（ａ）参照）における装着例について説明する。
【００３１】
図３は、面戸２０を大棟部１へ装着した状態を示す斜視図である。図４は、同概略縦断面図である。
【００３２】
面戸２０は、大棟部１を挟んで隣接する２つの屋根面１０において、相互に近接する両屋根面１０の端部の上面の、屋根の波形を直交して横断する、端部に平行な直線部位に、相互に平行に取り付けられる。また、面戸２０は、屋根接触面２１（波形面）を下にして、それぞれの波形面が屋根のそれぞれの単位波形部１１ａに合致するように載せ置かれ、上から笠木３１で押圧し、ビス３１ａ等で波形屋根材１１、野地板３２に固定される。さらに、その上に、両笠木３１を覆うように棟瓦３３を取り付け、ビス３３ａ等で笠木３１と固定する。なお図中、３４は大棟部１における野地板３２間を塞ぐアンダーキャップである。
【００３３】
このように、面戸２０は、大棟部１および後述する軒先部３では、波形屋根材１１の波形を横断する直線部位に取り付けられるが、一方、降り棟部２および後述する谷部４の場合では、屋根面１０の端部が波形屋根材１１を斜めに切断して形成された切断端部に対して平行な直線部位に取り付けられる。
【００３４】
したがって、面戸２０の装着対象である種々の直線部位において周期的に表れる波形の波長は、施工条件によって異なる。つまり、同一の波形屋根材１１を使用した同一家屋内であっても、面戸２０の取り付け対象部位の波形の波長は、大棟部１、降り棟部２、軒先部３、谷部４等、面戸２０の装着部位によって異なる。
【００３５】
本発明の波形屋根用面戸２０は、このような異なる波長の種々の波形に対して、一種類の面戸で対応できるようにしている。以下、図５および図６を参照しながら、種々の波長の波形に対する面戸２０の取り付け態様について説明する。
【００３６】
図５（ａ）は波形屋根材１１の概略斜視図、図５（ｂ）は同波形屋根材１１の部分拡大正面図である。図６（ａ）〜（ｃ）は、面戸２０を図５の屋根のＡ、Ｂ、Ｃで示した部位に装着したときの形状を示す概略正面図と部分拡大図である。
【００３７】
図５（ａ）に示したＣ部は、屋根の波形を横断する、波形屋根材１１の端部に平行な直線部位であり、大棟部１や軒先部３（図１参照）における面戸２０の装着位置は、このＣ部あるいはＣ部に平行な部位に相当する。Ａ部、Ｂ部は、波形屋根材１１を斜めに走る直線部位であり、降り棟部２や谷部４（図１参照）のように、波形屋根材１１を切断して形成した端部における面戸２０の装着位置は、このＡ部、Ｂ部あるいはＡ部、Ｂ部に平行な部位、または、その他斜め状の種々の直線部位に相当する。
【００３８】
Ａ部、Ｂ部、Ｃ部における各波形のうち、Ａ部が最も波長が大きく、次がＢ部であり、Ｃ部の波長が最も小さい。なお、図５（ｂ）は、Ｃ部に面戸２０を配した例を示している。
【００３９】
このような波長の異なる波形に対して、図６（ａ）、（ｂ）、（ｃ）の各図に示すように、面戸２０はそれぞれの波形になじむように弾性収縮して、寸法が小さくなるよう変形して装着される。つまり、最も波長の大きなＡ部に比べて、波長が同等か、やや大きめの波形面を有した面戸２０を、共通の面戸２０として使用する。
【００４０】
面戸２０は、上下方向に押圧して装着するため当然に上下方向に収縮するが、山部２２と谷部２３よりなる単位波形面を、屋根の単位波形部１１ａに１対１に装着させる構成であるから、面戸２０は、幅方向にも対象となる波形に応じた寸法に収縮する。面戸２０の屋根接触面２１に、収縮時の逃がし空間として溝２４が形成されているため、溝２４の空間は、各部分拡大図に示すように、屋根の波形の波長に応じて変形する。
【００４１】
このように、面戸２０の屋根接触面２１には、波形成方向と直交する方向に沿って、間隔を隔てて複数の溝２４が形成されているので、面戸２０の弾性収縮度合いを大きくすることができる。その結果、同一寸法、同一形状の面戸２０を、屋根の各部に周期的に表れる形状、寸法、波長の異なる波形に円滑になじませて取り付けることができる。面戸２０の波形は、例えば、施工する屋根において想定できる波長の最も大きな波形に合わせておけばよい。また、一戸の家屋を建築するのに複数種の面戸を準備する必要がないため、施工準備には時間がかからないし、在庫管理も手間がかからない。
【００４２】
また、面戸２０の正面から背面に貫通する孔で逃がし空間を構成しても、ある程度の収縮度合いは得られるが、本実施形態では屋根接触面２１に複数の溝２４を設けているため、溝２４近傍部位が他の部位よりも大きく変形する。そのため、収縮度合いが種々異なるいずれの波長の波形においても、屋根の波形面とのなじみはよく、屋根との密着性を高めることができる。また、屋根接触面２１側の溝２４近傍部位が他の部位よりも大きく変形するため、振幅が大きく面戸２０との接触面積の大きな波形の屋根にも対応させることができる。
【００４３】
なお、図６は溝２４近傍部位の変形の一例を示したもので、装着対象となる屋根の波形の条件（例えば、波形の振幅と波長との関係）に応じて、その他種々の形状に変形することはいうまでもない。
【００４４】
つぎに、同面戸２０の軒先部３、谷部４（図１参照）への適用例について説明する。なお、面戸２０の降り棟部２（図１参照）への適用例については、図示および説明を省略する。
【００４５】
面戸２０は、これらの部位では波形屋根の下面に装着される。つまり、面戸２０は屋根接触面２１である波形面を上に向けて取り付けられる。
【００４６】
まず、軒先部３への装着について、図７を参照しながら説明する。図７は、面戸２０を軒先部３へ装着した状態を示す概略断面図である。この図に示すように、面戸２０は軒先瓦等の波形屋根材１１の下面の波形に屋根接触面２１が接触するように、軒先部３の垂木３６上に設けられた野地板３２と、軒先瓦とに挟まれるように取り付けられる。
【００４７】
面戸２０は、上下から挟まれて上下方向に弾性収縮するとともに、面戸２０の幅方向についても屋根の波形に合致するように弾性収縮する。なお、軒先部３では、面戸２０は波形屋根材１１の端部に平行に取り付けるので、図６（ｃ）に示した状態に収縮する。
【００４８】
ついで、谷部４への装着について、図８を参照しながら説明する。図８は、面戸２０を谷部４へ装着した状態を示す概略断面図である。この図に示すように、面戸２０は波形屋根材１１の下面の波形面に屋根接触面２１が接触するように、谷部４に設けられた谷樋３７と、瓦とに挟まれるように取り付けられる。
【００４９】
面戸２０は、上下から挟まれて上下方向に弾性収縮するとともに、面戸２０の幅方向についても屋根の波形に合致するように弾性収縮する。なお、谷部４では、面戸２０は波形屋根材１１の斜め状の切断端部に平行に取り付けるので、例えば図６（ａ）または図６（ｂ）に示した状態に収縮する。
【符号の説明】
【００５０】
１０      屋根面
１１      波形屋根材
１１ａ      単位波形部
２０      面戸
２１      屋根接触面
２２      山部
２３      谷部
２４      溝
１      大棟部
２      降り棟部
３      軒先部
４      谷部
３１      笠木
【図１】
0005443081.tif 000002
【図２】
0005443081.tif 000003
【図３】
0005443081.tif 000004
【図４】
0005443081.tif 000005
【図５】
0005443081.tif 000006
【図６】
0005443081.tif 000007
【図７】
0005443081.tif 000008
【図８】
0005443081.tif 000009